(57)【要約】【課題】乳幼児が授乳の際に行っている舌の蠕動様運動から、飲料の摂取時の吸引運動への移行期をスムーズに行うことができる飲み口用の弁構造体を提供するものである。【解決手段】  弁構造と弁構造との間に中空部を設け、飲料で満たされた中空部を舌や唇、歯や歯茎で押圧し、飲料を送出する蠕動様運動を可能とした飲み口用の弁構造体。【選択図】図１
2011206093.tif 000002
【特許請求の範囲】
【請求項１】
飲み口用の弁構造体であって、内部が中空である楕円球状体の一端に突起部を設け、該突起部に弁構造２ａを形成し、他の一端に飲料導入管を設け、該飲料導入管に弁構造２ｂを形成したことを特徴とする飲み口用の弁構造体。
【請求項２】
前記弁構造体は、飲料導出口３ａ、飲料流路口３ｂ、飲料流路口３ｃ、飲料流路口３ｄの面積が、弁構造２ａ、弁構造２ｂの断面の面積の５％から５０％であることを特徴とする請求項１に記載の飲み口用の弁構造体。
【請求項３】
前記弁構造体は、飲料導出口３ａ、飲料流路口３ｂ、飲料流路口３ｃ、飲料流路口３ｄの面積が、飲料導出口３ａ≧飲料流路口３ｂ≧飲料流路口３ｃ≧飲料流路口３ｄであることを特徴とする請求項２に記載の飲み口用の弁構造体。
【発明の詳細な説明】
【技術分野】
【０００１】
本発明は、乳幼児が飲料摂取するための蠕動様運動や吸引運動の両運動を可能とする飲み口用の弁構造体。
【背景技術】
【０００２】
従来、飲料の摂取にはコップやストローなどを用い、吸うという吸引運動のより行われている。しかし、乳幼児の授乳は、乳幼児の上顎に乳首が位置した状態で乳幼児の舌の蠕動様運動により行われているものであり、乳幼児は当初から吸引運動を行ってはいない。このために、授乳から飲料の摂取への移行期において乳幼児は飲料を摂取することに大変な困難を伴い人口乳首などを手ばなせないなどの問題があり、トレーニング用の飲み口が多種使用されている。
【０００３】
これらの飲み口の改良がなされている。吸引力が低下した幼児などが使用するもので、飲料の逆流を防止でき、飲料を使用者の口元で保持し、２度目からの吸引をしやすくする弁構造体が提案されている。（特許文献１参照）
【０００４】
また、本発明者は、飲料を摂取する際に、吸引力が低下した使用者が吸引しやすいように使用者の口元部分に接合して使用する弁構造体を提案した。この弁構造体は柔らかい弁部材を用いた簡易構造で、舌や歯による押圧により吸引運動を助ける能力を持つものである。（特許文献２参照）
【先行技術文献】
【特許文献】
【０００５】
【特許文献１】特開２００１−３０１
【特許文献２】特開２００９−１５９４４５
【０００６】
特許文献１において提案された弁構造体は、ストローなどに接続して使用されるものであり、飲料が使用者の口元近くに保持することで吸引力が低下した使用者が吸引しやすい改良である。しかし、吸引運度を前提としたことには何ら変わりはない。
【０００７】
また、本発明者の提案である特許文献２であるが、弁部材が柔らかいなどの特徴は、吸引力が低下した使用者が舌や歯などを使用しての押圧による飲料の流れ圧力を加える効果はあるが、あくまでも吸引運動を前提とした改良の範囲を超えるものではない。
【発明の概要】
【発明が解決しようとする課題】
【０００８】
乳幼児は授乳期において、反射運動である舌の蠕動様運動を行い乳首や人工乳首から母乳やミルクを摂取している。この運動は、口を開けたまま舌を前後に動かして乳首か乳を圧出し飲み込んでいる。吸引はしていないのである。個人差はあるが月齢が５カ月から６カ月頃からこの無意識の舌の蠕動様運動から、意識した唇や舌、歯茎や歯、顎や頬などを総合した吸引運動へと徐々に移行していく。吸引運動は、乳幼児が自分自身で獲得しなければならず、ムセたりこぼしたりなど大変な困難を伴う。しかし、現在のトレーニング用の各種の製品では十分とはいえない。舌の運動をとっても、前後運動から上下運動が加わり、さらに左右の運動を加わる。さらに呼吸とも連動した唇や歯、顎や頬なども伴った複雑でデリケートな動作が求められる。
【０００９】
本発明は、前記に鑑みなされたもので、本発明者が提案した、吸引力が弱い使用者が使用する弁構造体を発展させ、蠕動様運動から吸引運動への移行をスムーズに行うことができる乳幼児が使用する飲み口用の弁構造体を完成させた。
【課題を解決するための手段】
【００１０】
前記目的を達成するために、本発明は、係る飲み口用の弁構造体であって、内部が中空である楕円球状体の一端に突起部を設け、該突起部に弁構造２ａを形成し、他の一端に飲料導入管を設け、該飲料導入管に弁構造２ｂを形成したことを特徴とする。              
【００１１】
また、前記弁構造体は、飲料導出口３ａ、飲料流路口３ｂ、飲料流路口３ｃ、飲料流路口３ｄの面積が、弁構造２ａ、弁構造２ｂの断面の面積の５％から５０％であることを特徴とする。
【００１２】
また、前記弁構造体は、飲料導出口３ａ、飲料流路口３ｂ、飲料流路口３ｃ、飲料流路口３ｄの面積が飲料導出口３ａ≧飲料流路口３ｂ≧飲料流路口３ｃ≧飲料流路口３ｄであることを特徴とする。
【発明の効果】
【００１３】
本発明によれば、次のような効果を得ることができる。本発明の飲み口用の弁構造体は、内部が中空の楕円球状体の両端部に弁構造を設け、流入した飲料を楕円球状体内に留めることができるようにしたので、使用者は舌や唇、歯や歯茎などを用いて、押圧する蠕動用運動による飲料の摂取ができるようになった。
【００１４】
また、この楕円球状体は使用者の上顎の窪みに密着することができる形状にしたので、蠕動様運動を確実に行うことができるようになった。
【００１５】
また、本発明は、飲み口用の弁構造体であり、飲料の逆流を防止できることは当然であり、さらに蠕動様運動による飲料の摂取を可能としただけではなく、吸引運動を妨げるものではなく、蠕動様運動と吸引運動とを同時に行うことができる特徴は、乳幼児期から幼児期の移行期における飲料の摂取におけるトレーニング用の飲み口としての能力を獲得した。
【００１６】
また、本発明の飲み口用の弁構造体は、飲料が通過する飲料導出口３ａ、飲料流路口３ｂ、飲料流路口３ｃ、飲料流路口３ｄの断面の面積を、弁構造体２ａ、弁構造体３ａの断面の面積の５％から２０％にし、その断面の面積を、飲料導出口３ａ≧飲料流路口３ｂ≧飲料流路口３ｃ≧飲料流路口３ｄにしたので、飲料の流れをスムーズにすることができた。さらには、飲料の逆流の防止効果を向上することができた。
【００１７】
また、本発明の飲み口用の弁構造体は、乳幼児が蠕動様運動による飲料の摂取を可能としたものであり、さらには、乳幼児が人口乳首などを使用する様における飲料容器を持ち上げる必要はなく、乳幼児のどのような姿勢にも対応しうる弁構造体にできた。
【発明を実施するための形態】
【００１８】
本発明の形態を示す実施例であるが、本発明の技術的思想を損なうものでなければよく、本実施例に特定も限定もするものではない。
【００１９】
本発明者は、特願２００９−１５９４４５において、飲料を吸引するための弁構造体を提案した。その特徴は、弁部材としてセルロース糸繊維成形材を使用するもので、セルロース糸繊維成形材と飲料とが一体となり弁部材としての機能を獲得したものである。弁部材が柔らかい素材あり、使用者の舌や唇、歯や歯茎の押圧にも対応できる新しい弁構造を創り出すことができた。しかし、弁部材内の飲料を舌や唇、歯や歯茎の押圧だけで移動させ口腔内へ移動させることは可能であるが、十分な飲料の移動はできず、吸引運動があって初めてその機能を十分に発揮するものであり、蠕動用運動を前提とした弁構造体とはいえない。
【００２０】
本発明は本発明者の特願２００９−１５９４４５である吸引運動に対応した弁構造体を発展させ、乳幼児の飲料摂取時に行っている蠕動様運動を可能とする飲み口用の弁構造を完成させたものである。
【実施例】
【００２１】
本発明の実施例の形態を図面に基づいて説明する。図１は、本発明の飲み口用の弁構造体１を示す斜視図である。図２は、図１のｘ−ｘ線上の断面図である。図３は、図1の頂上図である。図4は飲料導出口３ａの正面図である。図5は、飲料流路口３ｂ、飲料流路口３ｃ、飲料流路口３ｃの形状を示す正面図である。
【００２２】
本発明の飲み口用の弁構造体１は、ゴム、シリコーンゴムやスティレソエラストマ、ポリエステルエラストマ等の可燃性プラスチック素材からなる。素材としては、乳幼児が口にするものであり、その安全性を特に考慮しなければならないが特に特定はしない。また、弁構造２ａ、弁構造体２ｂを構成する弁部材７ａ、弁部材７ｂはセルロース糸繊維成形材を使用する。また、飲み口用の弁構造体１は、厚さや強度などここで特定も限定もするものではないが、歯などによる押圧時には十分に対応する厚さや強度を有することは当然である。
【００２３】
本発明の飲み口用の弁構造体１は、次のように構成されている。中部に中空部5を有する楕円球状体４の端部に弁構造２ａを設け、他の端部に弁構造２bを設けている。弁構造２ａは、飲料導出口３ａ、弁部材７ａ、飲料流路３ｂからなり、飲料流路３ａは楕円球状体４の中空部５へ向けて形成している。楕円球状体４は外側表面が波状の凹凸に形成したものを示しているが、該楕円球状体４の一方の端部に弁構造２ｂが設けられている。弁構造２ｂは、飲料流路口３ｃ、弁部材７ｂ、飲料流路口３ｄからなり、飲料流路口３ｃは楕円球状体４の中空部５へ向けて形成している。弁構造２ｂの飲料流路口３ｄは飲料導入口６へ続いている。弁構造２ｂの外側表面に止部８を設けている。飲料導入口６はストロー９を接続したものを示した。
【００２４】
飲料の移動について説明する。飲料はストロー９から飲料導入口６を通り飲料流路口３ｄから、弁構造２ｂへ流入し弁部材７ｂを満たし、さらに、飲料流路口３ｃから中空部５を満たし、次に飲料流路口３ｂから弁構造３ａへ流入し弁部材７ａを満たし、飲料導出口３ａから送出する。
【００２５】
飲料の移動をスムーズに行えるように、飲料導出口３ａ、飲料流路口３ｂ、飲料流路口３ｃ、飲料流路口３ｄの断面の面積を弁構造２ａ、弁構造２ｂの断面の面積の５％から２０％にしたものである。この断面の面積を飲料導出口３ａ≧飲料流路口３ｂ≧飲料流路口３ｃ≧飲料流路口３ｄにしたのでさらに飲料の移動をスムーズにし、逆流を防止する能力も高めることができる。
【００２６】
飲料導出口３ａの形状は、図３に示したように楕円形の形状であるが、図４にその形状の例を示した。４１は円形状を、４２は三角形状を４３はメッシュ形状を示したが、特に特定するものではない。乳幼児の月齢によっても形や大きさなど考慮しながら決定することが好ましい。また、飲料導出口３ａは、弁部材７ａを流出させない形状や口径であることは当然である。
【００２７】
飲料流路口３ｂ、飲料流路口３ｃ、飲料流路口３ｄの形状は、図５に示した。円形状を５１、四角形状を５２、長方形状を５３、メッシュ形状を５４、多孔形状を５５などの形状を示したが、特に特定はしない。また、飲料の移動を妨げない形状であり、弁部材２７ａ、弁部材３ｂの流出を防止する形状や口径であることは当然である。
【００２８】
楕円形状４は、外側面を波状の凹凸状のものを示したが、波の幅や高さなど限定も特定もしない。この波状の凹凸は、使用者の舌や唇、歯や歯茎にひっかかることを通してフィットしやすい効果を生じさせるものであり、また、使用者の上顎に密着することを防ぐ効果を生んでいる。また、この波状のものを示したがこの形状や、幅や高さなど限定も特定もするものではなく、凹凸状を形成しなくてもよい。この波状の凹凸状は、楕円球状体４の内側面に形成してもよく、内側面や外側面の両側面に形成してもかまわない。
【００２９】
止部６は、図３に示したように角を取ったなめらかな四角形状のものを示した。この止部は、使用者が誤って飲み込むことを防止するために設けたものである。この面積は、３．７５cm3以上が好ましく、使用者の使用上の安全には不可欠である。
【００３０】
飲料導入口６は、ストロー９を接続したものを示した。飲料導入口６の口径をここで特定するものではなく、接続するストローなどの口径に対応できる口径のものを多種用意することが好ましい。飲料導入口６は、ストローなどを接続することを目的とするものであり、ストローなどが脱落することがないように、飲料流路口３ｄへ向って徐々に細くなるように形成することが好ましく、ティバー処理を行うことは当然であるが特定はしない。
【産業上の利用可能性】
【００３１】
本発明の飲み口用の弁構造体は、乳幼児が人工乳首からコップやストローを使用して飲料を摂取する際の吸引運動を学習するためのトレーニング用の飲み口に蠕動様運動が出来る機能を持たせたものである。また、弁構造は逆流を防止し、多種飲料容器に接続して使用するもので、極めて簡素の構造は安価の製造が可能で、使い捨てすることで  性を確定できる全く新しいトレーニング用の飲み口を提供するものである。
【図面の簡単な説明】
【００３２】
【図１】弁構造体と接続したストローの斜視図。
【図２】図１のｘ−ｘ線上の断面図。
【図３】図１の頂上図。
【図４】飲料導出口の正面図。
【図５】飲料流路口の正面図。
【符号の説明】
【００３３】
１、  弁構造体
２ａ、弁構造
２ｂ、弁構造
３ａ、飲料導出口
３ｂ、飲料流路口
３ｃ、飲料流路口
３ｄ、飲料流路口
４、  楕円球状体
５、  中空部
６、  飲料導入口
７ａ、弁部材
７ｂ、弁部材
８、  止部
９、ストロー
１０、飲料導入管
４１、４２、４３、飲料導出口の形
５１、５２、５３、５４、５５、飲料流路口の形
【図１】
2011206093.tif 000003
【図２】
2011206093.tif 000004
【図３】
2011206093.tif 000005
【図４】
2011206093.tif 000006
【図５】
2011206093.tif 000007